(57)【要約】【課題】所望の印刷結果が得られるよう印刷パラメータを設定することが可能な印刷イメージ表示装置、印刷イメージ表示方法、及び印刷イメージ表示プログラムを提供する。【解決手段】画像形成物を印刷出力する際の印刷パラメータを設定する印刷オプション設定画面を表示し、任意の印刷パラメータに対してイベントを検知すると設定可能な値に応じて作成された複数の印刷イメージをプレビュー表示する。そして、表示したプレビュー画像のうちの１つが選択されると、より細かい刻みの設定可能な値に応じて複数のプレビュー画像を作成・更新する。所望の印刷結果に近いプレビュー画像が確定されると設定値を確定する。  【選択図】  図４
2006268541.tif 000002
【特許請求の範囲】
【請求項１】
印刷パラメータを設定するＵＩにおけるイベントの発生を検出するイベント検出部と、
前記イベントに応じて前記印刷パラメータが異なる複数の印刷イメージを作成するプレビュー画像作成部と、
複数の前記印刷イメージをプレビュー表示する表示部と、
前記印刷イメージが選択されると該印刷イメージに応じて前記印刷パラメータを設定する印刷パラメータ設定部と
を具備することを特徴とする印刷イメージ表示装置。
【請求項２】
印刷パラメータを設定するＵＩにおけるイベントの発生をイベント検出部で検出し、
前記イベントに応じて前記印刷パラメータが異なる複数の印刷イメージをプレビュー画像作成部で作成し、
複数の前記印刷イメージを表示部でプレビュー表示し、
前記印刷イメージが選択されると該印刷イメージに応じて印刷パラメータ設定部で前記印刷パラメータを設定する
ことを特徴とする印刷イメージ表示方法。
【請求項３】
印刷パラメータを設定するＵＩにおけるイベントの発生を検出するイベント検出処理と、
前記イベントに応じて前記印刷パラメータが異なる複数の印刷イメージを作成するプレビュー画像作成処理と、
複数の前記印刷イメージをプレビュー表示する表示処理と、
前記印刷イメージが選択されると該印刷イメージに応じて前記印刷パラメータを設定する印刷パラメータ設置処理と
をコンピュータに実行させることを特徴とする印刷イメージ表示プログラム。
【請求項４】
前記プレビュー画像作成処理は、前記プレビュー表示した印刷イメージが選択されると該印刷イメージの前記印刷パラメータに基づいて、新たに表示する印刷イメージの印刷パラメータを判断して該印刷イメージを作成し、
前記表示処理は、既にプレビュー表示している印刷イメージを更新する
処理をコンピュータにさらに実行させることを特徴とする請求項３記載の印刷イメージ表示プログラム。
【請求項５】
前記プレビュー画像作成処理は、前記プレビュー表示可能な印刷イメージの数に基づいて、作成する前記印刷イメージの印刷パラメータを判断する
処理をコンピュータにさらに実行させることを特徴とする請求項３又は４記載の印刷イメージ表示プログラム。
【請求項６】
前記プレビュー画像作成処理は、
選択された前記印刷イメージの前記印刷パラメータの値から所定値毎に刻んで、作成する前記印刷イメージの印刷パラメータを判断する
処理をコンピュータにさらに実行させることを特徴とする請求項４記載の印刷イメージ表示プログラム。
【発明の詳細な説明】
【技術分野】
【０００１】
本発明は、印刷イメージ表示装置、印刷イメージ表示方法、及び印刷イメージ表示プログラムに関し、特に、画像形成後の印刷イメージをプレビュー表示することが可能な印刷イメージ表示装置、印刷イメージ表示方法、及び印刷イメージ表示プログラムに関する。
【背景技術】
【０００２】
プリンタや複合機などの画像形成装置で画像形成物を印刷出力する際に、印刷出力後の画像形成物を示す印刷イメージをプレビュー表示させ、印刷結果を予め確認するということが行われている。
【０００３】
印刷イメージのプレビュー表示方法としては、例えば、画像形成物の一部を拡大した印刷イメージをプレビュー表示する方法が提案されている（例えば、特許文献１参照）。
【０００４】
また、ＯＨＰフィルムや通常の印刷用紙など、画像形成を行う媒体の印刷条件に応じて処理した印刷イメージをプレビュー表示するものがある（例えば、特許文献２参照）。
【特許文献１】特開２００２−０５５８０２号公報
【特許文献２】特開２００３−０９４７５７号公報
【発明の開示】
【発明が解決しようとする課題】
【０００５】
ところで、紙などの媒体に画像を印刷出力する場合、所望のサイズに画像を拡大又は縮小して印刷出力することがあり、このような場合は、ユーザが指定した倍率で印刷イメージがプレビュー表示される。
【０００６】
しかし、ユーザが希望しているプレビュー結果が得られないことも多く、このような場合は、拡大又は縮小サイズを変更しながら何度も印刷イメージをプレビュー表示させることによって、所望の結果が得られる画像の倍率を確認することとなり、大変な手間と時間がかかっていた。
【０００７】
そこで本発明では、所望の結果が得られる画像の倍率を容易に確認することが可能な印刷イメージ表示装置、印刷イメージ表示方法、及び印刷イメージ表示プログラムを提供することを目的とする。
【課題を解決するための手段】
【０００８】
本発明における印刷イメージ表示装置は、印刷パラメータを設定するＵＩにおけるイベントの発生を検出するイベント検出部と、前記イベントに応じて前記印刷パラメータが異なる複数の印刷イメージを作成するプレビュー画像作成部と、複数の前記印刷イメージをプレビュー表示する表示部と、前記印刷イメージが選択されると該印刷イメージに応じて前記印刷パラメータを設定する印刷パラメータ設定部とを具備する。
【０００９】
次に、本発明における印刷イメージ表示方法は、印刷パラメータを設定するＵＩにおけるイベントの発生をイベント検出部で検出し、前記イベントに応じて前記印刷パラメータが異なる複数の印刷イメージをプレビュー画像作成部で作成し、複数の前記印刷イメージを表示部でプレビュー表示し、前記印刷イメージが選択されると該印刷イメージに応じて印刷パラメータ設定部で前記印刷パラメータを設定する。
【００１０】
本発明における印刷イメージ表示プログラムは、印刷パラメータを設定するＵＩにおけるイベントの発生を検出するイベント検出処理と、  前記イベントに応じて前記印刷パラメータが異なる複数の印刷イメージを作成するプレビュー画像作成処理と、複数の前記印刷イメージをプレビュー表示する表示処理と、前記印刷イメージが選択されると該印刷イメージに応じて前記印刷パラメータを設定する印刷パラメータ設置処理とをコンピュータに実行させる。
【００１１】
また、前記プレビュー画像作成処理は、前記プレビュー表示した印刷イメージが選択されると該印刷イメージの前記印刷パラメータに基づいて、新たに表示する印刷イメージの印刷パラメータを判断して該印刷イメージを作成し、前記表示処理は、既にプレビュー表示している印刷イメージを更新する処理をコンピュータにさらに実行させる。
【００１２】
また、前記プレビュー画像作成処理は、前記プレビュー表示可能な印刷イメージの数に基づいて、作成する前記印刷イメージの印刷パラメータを判断する処理をコンピュータにさらに実行させる。
【００１３】
また、前記プレビュー画像作成処理は、選択された前記印刷イメージの前記印刷パラメータの値から所定値毎に刻んで、作成する前記印刷イメージの印刷パラメータを判断する処理をコンピュータにさらに実行させる。
【発明の効果】
【００１４】
本発明では、所望の画像形成物のプレビュー画像を確認しながら、印刷オプションを適切に設定することができる。
【発明を実施するための最良の形態】
【００１５】
以下、本発明に係る印刷イメージ表示装置、印刷イメージ表示方法、及び印刷イメージ表示プログラムを実施するための最良の形態について、添付図面を参照して詳細に説明する。
【実施例１】
【００１６】
図１は、本実施例における印刷イメージ表示装置の構成を示す機能ブロック図である。同図に示すように印刷イメージ表示装置１には、印刷パラメータ設定部１０と、イベント検出部１１と、プレビュー画像表示倍率判断部１２と、プレビュー画像作成部１３と、制御部１４と、制御プログラム記憶部１５と、操作部１６と、表示部１７とが設けられている。
【００１７】
印刷パラメータ設定部１０は、印刷パラメータ設定用のＵＩ(user interface)である印刷オプション設定画面を表示部１７に表示し、印刷出力時の画像の拡大・縮小率（倍率）を示す拡大／縮小パラメータや印刷向き、媒体のサイズなど、画像の印刷出力に必要な印刷パラメータの入力を受け付け、設定する。
【００１８】
イベント検出部１１は、印刷オプション設定画面上のイベント検出エリアにカーソルが移動するとイベントの発生を検出する。
【００１９】
プレビュー画像表示倍率判断部１２は、同時にプレビュー表示する画像イメージの倍率を判断する。
【００２０】
プレビュー画像作成部１３は、プレビュー表示する印刷イメージのプレビュー画像を作成する。
【００２１】
制御部１４は、印刷イメージ表示装置全体及び各部の動作を制御するための処理を行う。
【００２２】
制御プログラム記憶部１５は、制御部１４で印刷イメージ表示装置全体及び各部の動作を制御するための制御プログラムを記憶する。
【００２３】
操作部１６は、マウスなどの操作端末(pointing device)である。
【００２４】
表示部１７は、ディスプレイなどの表示端末である。
【００２５】
なお、図１において点線で囲まれた部分（印刷パラメータ設定部１０、イベント検出部１１、プレビュー画像表示倍率判断部１２、プレビュー画像作成部１３）は、ソフトウェアなどにより実現される部分である。
【００２６】
上記構成を用いて本実施例におけるに印刷イメージ表示装置は、複数の倍率で印刷イメージを作成してプレビュー表示する。
【００２７】
図２は、本実施例における印刷イメージ表示装置の処理の流れを示すフローチャートである。
【００２８】
まず、図３に示すように、印刷オプション設定画面２０を表示し（ステップ１００）、イベント検出エリア２１にカーソル２２が移動するとイベントを検出して（ステップ１０１）、所定の倍率（代表選択肢）毎に印刷イメージを作成し、図４に示すようにマルチプレビュー領域２３に各倍率の印刷イメージ（図４では、１２５％、１００％、７５％、５０％、２５％）を一覧表示する（ステップ１０２）。
【００２９】
次に、図５に示すようにプレビュー画像の１つが選択される（図５では、５０％）（ステップ１０３でＹＥＳ）と、印刷出力する画像の拡大・縮小率を設定する拡大／縮小パラメータ２４を変更し（ステップ１０４）、現在マルチプレビュー領域２３に表示しているプレビュー画像の倍率に基づいてプレビュー画像を更新するか否かの判断を行う（ステップ１０５）。
【００３０】
また、プレビュー画像が選択されず（ステップ１０３でＮＯ）、印刷オプション設定画面２０が閉じられる（拡大／縮小パラメータ２４が入力されない）（ステップ１０６でＮＯ）と、処理を終了し、拡大／縮小パラメータ２４が直接入力される（ステップ１０６でＹＥＳ）と、現在のプレビュー画像の倍率に基づいてプレビュー画像を更新するか否かの判断を行う（ステップ１０５）。
【００３１】
そして、ステップ１０５においてプレビュー画像を更新すると判断する（ステップ１０５でＹＥＳ）と、現在プレビュー表示している画像の倍率及び選択されたプレビュー画像の倍率に基づいて、新たにマルチプレビュー領域２３に表示するプレビュー画像の倍率を判断し（ステップ１０７）、図６に示すようにマルチプレビュー領域２３に各倍率の印刷イメージ（図６では、７０％、６０％、５０％、４０％、３０％）を表示してプレビュー画像を更新する（ステップ１０２）。
【００３２】
一方、ステップ１０５でプレビュー画像を更新しないと判断する（ステップ１０５でＮＯ）と、マルチプレビュー領域２３のプレビュー画像を維持し、プレビュー画像が選択されるのを待つ（ステップ１０３）。
【００３３】
なお、本実施例では、最初に画像をプレビュー表示する際の代表選択肢として１２５％、１００％、７５％、５０％、２５％倍率を用いているが、代表選択肢はこれらの倍率に限られるものではなく、任意の倍率を用いることができる。
【００３４】
また、ステップ１０７のプレビュー画像倍率判断では、プレビュー画像のうちのＮ番目のプレビュー画像が選択されたとすると、Ｎ＋１番目のプレビュー画像からＮ−１番目のプレビュー画像までの倍率を予め設定されている数に細かく刻むことにより、プレビュー画像の倍率を判断する。
【００３５】
この際、プレビュー表示可能な印刷イメージの数に基づいて、印刷パラメータを刻む値（作成する印刷イメージの数）を判断してもよい。
【００３６】
さらに、例えば、５０％が選択された場合は、４０％、４５％、５０％、５５％、６０％の倍率の印刷イメージをプレビュー表示するといったように、選択された倍率に応じてプレビュー画像を更新する際に表示する印刷イメージの倍率を予め定めておいてもよく、更新時にプレビュー表示する印刷イメージの倍率は、任意の方法を用いて決定することができる。
【００３７】
加えて本実施例では、印刷パラメータの１つである倍率を変化させて複数の印刷イメージを表示しているが、プレビュー表示させる画像毎に異ならせる印刷パラメータは倍率に限られるものではなく、例えば、用紙サイズや一枚の用紙に表示する画像の数（２ＵＰ、３ＵＰなど）など、任意の印刷パラメータを用いることが可能であり、適用する印刷パラメータに応じてイベント検出エリアを設けてもよい。
【００３８】
このように本発明では、複数の倍率の印刷イメージを同時にプレビュー表示するため、倍率の異なる複数の印刷イメージを比較しながら容易に適切な拡大／縮小パラメータを設定することができる。
【００３９】
また、Ｎ番目のプレビュー画像が選択された際に、Ｎ＋１番目のプレビュー画像からＮ−１番目のプレビュー画像までの倍率を細かく複数に刻んでプレビュー画像を作成・更新するため、精度の高い拡大／縮小パラメータを容易かつ正確に設定することができる。
【図面の簡単な説明】
【００４０】
【図１】実施例１における印刷イメージ表示装置の構成を示す機能ブロック図
【図２】実施例１における印刷イメージ表示装置の処理の流れを示すフローチャート
【図３】印刷オプション設定画面の一例を示す図
【図４】マルチプレビュー領域を有する印刷オプション設定画面の一例を示す図
【図５】マルチプレビュー領域を有する印刷オプション設定画面の一例を示す図
【図６】マルチプレビュー領域を有する印刷オプション設定画面の一例を示す図
【符号の説明】
【００４１】
１…印刷イメージ表示装置
１０…印刷パラメータ設定部
１１…イベント検出部
１２…プレビュー画像表示倍率判断部
１３…プレビュー画像作成部
１４…制御部
１５…制御プログラム記憶部
１６…操作部
１７…表示部
２０…印刷オプション設定画面
２１…イベント検出エリア
２２…カーソル
２３…マルチプレビュー領域
２４…拡大／縮小パラメータ
【図１】
2006268541.tif 000003
【図２】
2006268541.tif 000004
【図３】
2006268541.tif 000005
【図４】
2006268541.tif 000006
【図５】
2006268541.tif 000007
【図６】
2006268541.tif 000008